【事件の表示】
　平成１０年特許願第３２７４７７号「プラズマ表示装置」拒絶査定に対する審判事件［平成１２年　５月１６日出願公開、特開２０００−１３７４４９］について、次のとおり審決する。
【結　論】
　本件審判の請求は、成り立たない。
【理　由】
　
１．手続の経緯・本願発明
　
　本願は、平成１０年１１月２日に出願した特願平１０−３２７４７７号であって、平成１２年８月３日付で拒絶査定がなされ、これに対し同年９月１２日に拒絶査定に対する審判請求がなされたものである。
　
２．本願発明
　
　本願の請求項１に係る発明は、平成１１年９月２４日付及び平成１２年９月１２日付の手続補正書により補正された明細書及び図面の記載からみて、特許請求の範囲の請求項１に記載された次のとおりのものと認める（以下、「本願発明」という。）。
　
「縦横の区画壁によって格子状に形成されるグリッドの各枡路にタイルなどの各種表示装置を装着して盤面を構成するモザイク式表示パネルにおいて、
一辺が単位寸法Ｌである方形の単体のプラズマ表示装置７を絶縁材料で形成した取付台１０に装着し、該取付台１０に装着したプラズマ表示装置を、モザイク式表示パネルを構成するグリッドの一部として連結することができるとともに相互に連結が可能な一辺が単位寸法Ｌもしくは単位寸法Ｌの整数倍であって単位寸法ごとに縦横の区画壁を形成したグリッド１に着脱自在としたことを特徴とするプラズマ表示装置。」
　
２．引用刊行物
　
（１）これに対して、原査定の拒絶の理由に引用された、本願出願前日本国内において頒布された刊行物である、特開平４−３０１６７３号公報（以下、「引用例１」という。）には、次の事項が記載されている。
　
（ａ）「【０００４】この種の電光表示装置は、ＲＧＢやＬＥＤなどの複数の表示素子からなる表示ユニットを、実装枠に対し縦横に多数配列固定してなり、各表示ユニットで分割形成した色彩、文字、模様および映像などを総合して大型の画面に表示しようとするものである。」（第２頁段落番号０００４）
　
（ｂ）「【００１５】図１および図２に示した第１実施例において、本発明の電光表示装置は、複数の表示ユニット１２（図面では１２ａ、１２ｂ…１２ｆの６器）を、縦方向に一列で、かつ着脱自在に形成した表示ユニット収納枠体１０の複数器（図面では１０ａ、１０ｂ…１０ｉの９器）を、取付台枠２０に対し横方向に複数取付けることにより構成されている。
【００１６】ここで、表示ユニット１２は、図２に示したように多数の表示素子１１をその前面に電気的に配列し、ユニット化したものであり、各種の色に発光したり、文字やデザインなどを形成する機能を有している。
【００１７】各表示ユニット収納枠体１０には、各表示ユニット１２の外形形状に対応したスロット部１３が縦方向一列に複数設けられており、各表示ユニット１２は前記各スロット部１３に対し着脱自在に構成されている。
【００１８】すなわち、表示ユニット１２のスロット部１３に対する組込みは、表示ユニット１２をスロット部１３内へ挿入し、表示ユニット１２の裏面上下部に設けた取付部材１４の取付穴１４ａと、スロット部１３に設けた取付穴１３ａを位置合わせした後、この取付穴１３ａ、１４ａにピン１５を嵌め込むことにより容易に行うことができる。また、逆に表示ユニット１２をスロット部１３から取外すには、ピン１５を抜き、表示ユニット１２を手前へ引出せばよい。」（第２頁段落番号０００１５〜第３頁段落番号００１８）
　
（ｃ）「【００２３】上記の構成からなる電光表示装置を組立てるに際しては、まず各表示ユニット収納枠体１０のスロット部１３に対し夫々表示ユニット１２を挿入し、各取付穴１３ａ、１４ａにピン１５を挿入することにより、表示ユニット１２を装着した表示ユニット収納枠体１０（以下、本実施例においては縦方向一体型構成ユニットと呼ぶ）を準備する。」（第３頁段落番号００２３）
　
（ｄ）「【００２７】また、隣接する縦方向一体型構成ユニット同士の結合は、表示ユニット収納枠体１０のスロット部１３側部に設けた組付穴１６へボルトとナットなどからなる組付部材１７ａ、１７ｂを嵌入し、締付けることにより行われる。」（第３頁段落番号００２７）
　
（ｅ）図１には、単体の表示ユニット１２を複数格子状に並べることにより表示面を構成する点が記載されている（図１）。
　
（ｆ）図２には、縦横の枠体により、表示ユニット収納枠体１０の各スロット部１３が複数形成される点、表示ユニット１２の外形形状が方形である点が記載されている（図２）。
　
　これらの記載事項及び図面の記載からみて、引用例１には、以下の発明が記載されているものと認める（以下、「引用発明」という。）。
　
「縦横の枠体によって格子状に形成される表示ユニット収納枠体１０の各スロット部１３に表示ユニット１２を挿入して表示面を構成する電光表示装置において、
　取付部材１４が設けられた方形の単体の表示ユニット１２を、電光表示装置を構成する表示ユニット収納枠体１０の一部として結合することができるとともに相互に結合が可能な表示ユニット１２の外形形状に対応して一定間隔ごとに縦横の枠体を形成した表示ユニット収納枠体１０に着脱自在としたことを特徴とする表示ユニット１２。」
　
（２）また、原査定の拒絶の理由に引用された、本願出願前日本国内において頒布された刊行物である、特開平１０−２０７４０２号公報（以下、「引用例２」という。）には、次の事項が記載されている。
　
（ｇ）「【００１２】【実施例】図１は、本発明による多画面ＰＤＰ取付構造の（Ａ）正面図、（Ｂ）側面図（同図ｃ−ｃ断面）である。ＰＤＰ（プラズマディスプレイパネル）ユニット２、２、・・を複数縦横に並べて架１に取り付けて、テレビ映像等を表示する多画面ＰＤＰ表示装置を構成する。架１の上部には、横棒４を設ける。縦一列に相当するＰＤＰユニット２、２、・・を収納する梯子状の取付具３の上端に例えば鉤状の係止部３ａ設ける。取付具３の係止部３ａを横棒４に回動自在に懸吊して、下端に設けた穴からネジ６、６を挿入して架１の下部に螺着して取付具３を架１に装着する。このような取付具３、３、・・を複数個横に並べて多画面ＰＤＰ表示装置を構成する。
【００１３】図２は、本発明による多画面ＰＤＰ取付構造の同取付具を前方に持ち上げたときの側面図（図１ｃーｃ断面）である。架１の下端には支柱７を設けておき、ＰＤＰユニット２、２、・・を脱着するときには、取付具３の係止部３ａを横棒４を支軸として回動し下端を前方に持ち上げ、支柱７の一端を取付具３の下端に設けた凹部に当接等して掛合し、他端を架の下端に設けた凹部に当接等してに掛合して、前記取付具の下端を前方に持ち上げて掛止できるようにする。なお、前記支柱７は長尺の板材で構成して、取付具３を架１に装着するときには取付具３と取付具３の間若しくは取付具３と架１の間に埋設するようにすることもできる。」（第２頁段落番号００１２〜第３頁段落番号００１３）
　
３．対比
　
　本願発明と引用発明とを対比すると、引用発明における「縦横の枠体」、「表示ユニット収納枠体１０」、「スロット部１３」、「表示ユニット１２」、「挿入」、「表示面」、「取付部材１４」、「取付部材１４が設けられた」、「結合」、「表示ユニット１２の外形形状に対応して一定間隔ごとに縦横の枠体を形成した表示ユニット収納枠体１０」は、それぞれ本願発明の「縦横の区画壁」、「グリッド」、「枡路」、「表示装置」、「装着」、「盤面」、「取付台１０」、「取付台１０に装着した」、「連結」、「一辺が単位寸法Ｌもしくは単位寸法Ｌの整数倍であって単位寸法ごとに縦横の区画壁を形成したグリッド１」に相当する。
　また、引用発明における「電光表示装置」と本願発明における「モザイク式表示パネル」とは「表示パネル」という点で一致している。
　したがって、両者は、
　
「縦横の区画壁によって格子状に形成されるグリッドの各枡路に表示装置を装着して盤面を構成する表示パネルにおいて、
　取付台１０に装着した方形の単体の表示装置を、表示パネルを構成するグリッドの一部として連結することができるとともに相互に連結が可能な一辺が単位寸法Ｌもしくは単位寸法Ｌの整数倍であって単位寸法ごとに縦横の区画壁を形成したグリッド１に着脱自在としたことを特徴とする表示装置。」
　
である点で一致し、以下の点で相違する。
　
（相違点１）
　本願発明では、グリッド１に着脱する表示装置がプラズマ表示装置であるのに対して、引用発明ではプラズマ表示装置を用いることについて言及していない点。
　
（相違点２）
  表示装置の方形の寸法として、本願発明ではグリッド１に形成された縦横の区画壁に対応した単位寸法Ｌとしているのに対し、引用発明ではこの点について言及していない点。
　
（相違点３）
　本願発明では表示装置を絶縁材料で形成した取付台１０に装着するのに対し、引用発明ではこのような材料の特定について言及していない点。
　
（相違点４）
　本願発明に係る表示パネルは、タイルなどの各種表示装置を装着して盤面を構成するモザイク式表示パネルであるのに対して、引用発明の表示パネルはモザイク式ではなく、一種類の表示装置を装着して盤面を構成する表示パネルである点。
　
４．当審の判断
　
　上記各相違点について検討する。
　
（１）相違点１について
　プラズマ表示装置を格子状の取付具３（本願発明における「グリッド」に相当する。）に脱着（本願発明における「着脱自在」に相当する。）することは引用例２の記載事項（ｇ）（特に、「ＰＤＰユニット２、２、・・を収納する梯子状の取付具３」の部分参照。）に記載されており、本願発明のように、グリッド１に着脱する表示装置としてプラズマ表示装置を用いることは当業者であれば容易に想到できることである。
　
（２）相違点２について
　着脱自在とする２つの物体の寸法をどのように設定するかは当業者であれば必要に応じて決定すべき事項であり、本願発明のように、表示装置の寸法をグリッド１に形成された縦横の区画壁に対応した単位寸法とすることは単なる設計事項にすぎない。
　
（３）相違点３について
　表示装置と取付台１０との間を絶縁することは周知であり（例えば、特開平５−２５２６１５号公報（段落番号０００９〜００１２）、特開平５−２５２６１６号公報（段落番号００１３〜００１４）参照）、本願発明のように、表示装置と取付台１０との間を絶縁することは単なる周知技術の付加にすぎない。その際、絶縁マットを介して両者を装着するか、取付台１０を絶縁材料で形成するかは、当業者であれば適宜選択し得る設計事項である。
　
（４）相違点４について
　タイルなどの各種表示装置をグリッドに装着して盤面を構成するモザイク式表示パネルは周知であり（例えば、実願昭６２−７０３３６号（実開昭６３−１７９７１２号）のマイクロフィルム（明細書第２頁下から６行〜第３頁１３行）、実願平４−５７６５２号（実開平６−１７３０９号）のＣＤ−ＲＯＭ（段落番号０００１）参照）、引用発明に示されたような表示パネルを、モザイク式の表示パネルとして用いることは、当業者が引用発明及び上記周知技術に基づけば、格別の困難性もなく容易に想到することができるものである。
　
　また、本願発明の効果も引用例１及び２並びに周知技術から予測される程度のものにすぎない。
　
４．むすび
　
　以上のとおりであるから、本願発明は引用例１及び２に記載された発明並びに周知技術に基づいて当業者が容易に発明をすることができたものであるから、特許法第２９条第２項の規定により特許を受けることができない。
　よって、結論のとおり決定する。